(57)【要約】【課題】  フラッシュ構造のドアにおいて、縦框を構成する縦芯材の一部を切欠した木口切欠部に緩衝機構本体を強固に且つ外観良く組み込むと共に、縦框の表面板の強度を確保すること。【解決手段】  フラッシュ構造のドアの縦框１を、中空部１ｂを挟んで立設された一対の縦芯材１ａと、各縦芯材１ａ及び中空部１ｂの両面を覆う表面板とで構成する。表面板１ｃを残して縦芯材１ａの端部を切欠して木口切欠部３を形成する。木口カバー材４を覆う木口カバー材４に、木口切欠部３にビス止めされるビス孔４ａと、木口切欠部３と対向する表面板１ｃの内面部分１ｄを内側から支持するための表面板補強片４ｂと、ドアを閉める際の衝撃を緩衝する緩衝機構本体５ａを木口切欠部３から縦芯材１ａ間の中空部１ｂに跨って収納保持するための開口部４ｃとを設けた。【選択図】        図１
2007085113.tif 000002
【特許請求の範囲】
【請求項１】
フラッシュ構造のドアの縦框を、中空部を挟んで立設された一対の縦芯材と、各縦芯材及び中空部の両面を覆う表面板とで構成し、上記表面板を残してドアの木口側の縦芯材の端部を切欠して表面板間に表面板の端縁よりも窪んだ木口切欠部を形成すると共に木口切欠部を木口カバー材にて覆い、木口カバー材に、上記木口切欠部にビス止めされるビス孔と、上記木口切欠部と対向する表面板の内面部分を内側から支持するための表面板補強片と、ドアを閉める際の衝撃を緩衝する緩衝機構本体を上記木口切欠部から上記縦芯材間の中空部に跨って収納保持できるようにするための開口部とを設けたことを特徴とするフラッシュ構造のドアにおける緩衝機構の取付構造。
【請求項２】
上記木口カバー材のビス孔を、縦框の厚み方向に長く延びた長孔状に形成したことを特徴とする請求項１記載のフラッシュ構造のドアにおける緩衝機構の取付構造。
【発明の詳細な説明】
【技術分野】
【０００１】
本発明は、フラッシュ構造のドアの木口に緩衝機構を取り付ける構造に関するものである。
【背景技術】
【０００２】
従来から、一方の桟材と該一方の桟材と交差する他方の桟材とを格子組みした格子ブロックと、格子ブロックに保持される複数枚のパネルとを備えたスライド式の間仕切りパネルが特許文献１により知られている。
【０００３】
ところで従来の間仕切りパネルにおいて、閉める際の衝撃を緩衝するための緩衝機構本体を取り付けるにあたっては、間仕切りパネルの桟材が方形パイプ型のアルミ型材で構成されており、間仕切りパネルの木口において方形状のアルミ型材の一部を切り欠いてアルミ型材の内部に緩衝機構本体を組み込んで固定する必要がある。
【０００４】
また、上記のような方形状のアルミ型材への緩衝機構本体の組み込み構造は、一般に知られているフラッシュ構造のドアには不向きである。つまり、フラッシュ構造のドアの縦框は縦芯材とその両面を覆う表面板とで構成されており、縦芯材の一部を切欠した木口切欠部に緩衝機構本体を組み込む場合は、木口切欠部において表面板の強度が低下するという問題があり、特に緩衝機構本体を表面板に取り付けるような場合は、強度の低下した表面板の部分で緩衝機構本体を支える形となり、緩衝機構本体の取り付け強度を十分に確保できないという問題もある。
【０００５】
従って、フラッシュ構造のドアの縦框の木口切欠部に緩衝機構本体を組み込む場合は、縦框の表面板の強度を如何にして高めるかが重要な課題となる。
【特許文献１】特開２００５−１８００４９号公報
【発明の開示】
【発明が解決しようとする課題】
【０００６】
本発明は上記の従来の問題点に鑑みて発明したものであって、縦框を構成する縦芯材の一部を切欠した木口切欠部に緩衝機構本体を強固に且つ外観良く組み込むことができると共に、縦框の表面板の強度を確保できるフラッシュ構造のドアにおける緩衝機構の取付構造を提供することを課題とするものである。
【課題を解決するための手段】
【０００７】
前記課題を解決するために本発明は、フラッシュ構造のドア３０の縦框１を、中空部１ｂを挟んで立設された一対の縦芯材１ａと、各縦芯材１ａ及び中空部１ｂの両面を覆う表面板１ｃとで構成し、上記表面板１ｃを残してドア３０の木口側の縦芯材１ａの端部を切欠して表面板１ｃ間に表面板１ｃの端縁よりも窪んだ木口切欠部３を形成すると共に木口切欠部３を木口カバー材４にて覆い、木口カバー材４に、上記木口切欠部３にビス止めされるビス孔４ａと、上記木口切欠部３と対向する表面板１ｃの内面部分１ｄを内側から支持するための表面板補強片４ｂと、ドア３０を閉める際の衝撃を緩衝する緩衝機構本体５ａを上記木口切欠部３から上記縦芯材１ａ間の中空部１ｂに跨って収納保持できるようにするための開口部４ｃとを設けたことを特徴としている。
【０００８】
このような構成とすることで、縦芯材１ａの一部を切欠した木口切欠部３に緩衝機構本体５ａを組み込むにあたって、木口切欠部３を木口カバー材４で覆って外観を良くできるものであり、また、木口カバー材４から立設した表面板補強片４ｂが表面板１ｃの内面部分１ｄに押し当てられるので、木口切欠部３と対向する表面板１ｃの内面部分１ｄを表面板補強片４ｂによって内側から確実に補強でき、縦框１の表面板１ｃの強度を確保できるようになる。そのうえ、緩衝機構本体５ａは、表面板１ｃで支えられるものではなく、木口カバー材４を介して一対の縦芯材１ａ、或いは縦芯材１ａと横框２との両方で支えられてビス固定されるため、フラッシュ構造のドア３０に対する緩衝機構本体５ａの取り付け強度が高められる。
【０００９】
また、上記木口カバー材４のビス孔４ａを、縦框１の厚み方向Ａに長く延びた長孔状に形成したことを特徴とするのが好ましく、この場合、ビス孔４ａ内でのビス４０の位置をドア仕様に応じて可変自在となる。例えば、ドア３０の仕様により、ドア３０の木口から木口カバー材４の取付基準面１１までの距離が同じで、縦芯材１ａの厚み寸法が異っている場合は、ビス孔４ａ内でのビス４０の位置を変化させることで、異なる仕様に応じて、木口カバー材４を取り付けることができ、１種類の木口カバー材４で十分に対応できるようになる。
【発明の効果】
【００１０】
本発明は、フラッシュ構造のドアの縦芯材の木口切欠部を木口カバー材にて覆い、木口カバー材を木口切欠部にビス止めし、木口カバー材に設けた表面板補強片で木口切欠部と対向する表面板の内面部分を内側から支持し、ドアを閉める際の衝撃を緩衝する緩衝機構本体を木口切欠部から木口カバー材の開口部を介して縦芯材間の中空部に跨って収納保持したので、フラッシュ構造のドアの縦框の縦芯材の一部を切欠した木口切欠部に緩衝機構本体を強固に且つ外観良く組み込むことができると共に木口カバー材の表面板補強片を利用して表面板の強度低下を抑えることができるものである。
【発明を実施するための最良の形態】
【００１１】
以下、本発明を添付図面に示す実施形態に基いて説明する。
【００１２】
図１は、フラッシュ構造のドア３０の一例であり、縦框１と横框２とを框組みし、その内側に鏡板６を嵌め込んだ框組ドアを示している。なお図７は框組ドアが設置された戸枠８の平面断面図であり、図８（ａ）は図７のＡ−Ａ線断面図であり、図８（ｂ）は鴨居９のレール溝１０に嵌め込まれるレール部材１１を示している。
【００１３】
本例のドア３０の縦框１は、図１、図２（ａ）に示すように、中空部１ｂを挟んで立設された一対の縦芯材１ａと、各縦芯材１ａ及び中空部１ｂ全体をその両面から覆うように貼着された一対の表面板１ｃとで構成されている。本例では一対の縦芯材１ａのうち、内側に位置する縦芯材１ａの内面にＭＤＦからなる補助材１ｅが貼着されており、補助材１ｅに設けたダボ受け穴に横框２に設けたダボを挿入することで枠組みが行なわれる。また補助材１ｅを構成するＭＤＦは柔らかいのでダボ受け穴の加工が容易である。なお、外側の縦芯材１ａの外面には木口テープ２１を貼着してもよい。
【００１４】
上記一対の縦芯材１ａには、上記表面板１ｃを残して縦芯材１ａの木口側の上端部をそれぞれ切欠して、表面板１ｃ間に表面板１ｃの端縁よりも窪んだ木口切欠部３が形成されている。この木口切欠部３は上方及び縦芯材１ａの厚み方向（図２（ｂ）の左方向）にそれぞれ開放されている。本例では、内側の縦芯材１ａに貼着されている補助材１ｅをＬ形に切欠して木口切欠部３の一部とし、この補助材１ｅの切欠側面を取付基準面１１としている。
【００１５】
上記木口切欠部３は木口カバー材４にて上方から覆われる。本例の木口カバー材４は、平面視で略長方形状に形成されていると共に垂直断面形状が上向きコ字状に形成された薄板状物からなる。木口カバー材４は木口切欠部３と略同じサイズをしている。木口カバー材４の材質は特に限定されず、例えば金属材或いはプラスチック材等いずれでもよい。
【００１６】
木口カバー材４は、木口切欠部３に取り付けられる取付片４ｄと、取付片４ｄの前後両端からそれぞれ起立する一対の表面板補強片４ｂとが一体に形成されている。
【００１７】
取付片４ｄの中央側には開口部４ｃが形成されている。開口部４ｃは、緩衝機構本体５ａが嵌り込むことができる大きさを有しており、これにより緩衝機構本体５ａを木口切欠部３から木口カバー材４の開口部４ｃを介して縦芯材１ａ間の中空部１ｂに跨るように収納して保持できるようになっている。
【００１８】
また、取付片４ｄにおける開口部４ｃの両サイドには、木口切欠部３の芯材部分に載置される載置リブ４ｅがそれぞれ設けられると共に、各載置リブ４ｅに芯材部分にビス止めされるビス孔４ａがそれぞれ形成されている。各ビス孔４ａは、縦芯材１ａの厚み方向Ａに沿って長く延びた長孔状に形成されている。本例では図２（ａ）のように外側のビス孔４ａの一端を開口部４ｃに開放している。
【００１９】
さらに、木口カバー材４の一対の表面板補強片４ｂは、木口切欠部３と対向する表面板１ｃの内面部分１ｄを内側から支持するためのものであり、その高さは表面板１ｃの上端縁と略同じ高さに揃うように設定される。また本例では一対の表面板補強片４ｂは、図３（ｄ）の矢印Ｂで示す外方に向けてやや開き気味となるように成形しておくのが望ましい。この場合、木口カバー材４を木口切欠部３に嵌め込んだ状態で、外開き気味の表面板補強片４ｂが前後の表面板１ｃの内面部分１ｄにそれぞれ押し当てられるようになり、縦芯材１ａが存在しない表面板１ｃの内面部分１ｄを内側から確実に補強できるようになる。このように、木口カバー材４は、木口切欠部３を覆い隠す働きと、緩衝機構本体５ａを木口切欠部３から中空部１ｂに跨って収納保持できるようにする働きと、木口切欠部３と対向する表面板１ｃの内面部分１ｄを内側から補強する働きとをする。
【００２０】
次に緩衝機構５を説明する。ドア３０を閉める際の衝撃を緩衝するためのものであり、ドア３０の木口切欠部３に設けられる緩衝機構本体５ａと、鴨居９側に設けられる緩衝機構受け具５ｂとで構成されている。
【００２１】
緩衝機構本体５ａの内部には、図４に示すように、先端にローラー１２を備えたローラー軸１３の下部が回動自在に収納されている。ローラー軸１３は枢軸１４を中心として揺動自在に支持されると共にアブソーバー１５によって上下方向に弾性支持されている。緩衝機構本体５ａの上端部の両側には、それぞれ、木口カバー材４の取付片４ｄの上面に載置されるフランジ部１６が設けられており、各フランジ部１６に木口カバー材４のビス孔４ａと連通するビス挿入孔１７が設けられており、緩衝機構本体５ａを木口カバー材４の開口部４ｃから縦芯材１ａ間の中空部１ｂに収納した状態で、フランジ部１６を取付片４ｄの上面に載置してビス止めできるようになっている。
【００２２】
一方、鴨居９側に取り付けられる緩衝機構受け具５ｂは、図５に示すように、鴨居９の終端位置よりも手前位置に配置されるストッパー１８と、ストッパー１８よりも手前に設けられる案内溝１９と、案内溝１９よりも手前に設けられて案内溝１９に近づく程下方に突出するように傾斜したスロープ部２０とを備えている。
【００２３】
ドア３０を閉じる際には、ドア３０の全開位置よりも手前位置でローラー１２がスロープ部２０を乗り越えた後にストッパー１８に当たって案内溝１９に嵌まり込んで、図６（ａ）に示す最下位状態となり、この状態からドア３０がさらに閉じられると、ローラー軸１３が枢軸１４を中心として後方へ向かって回動することで、ローラー１２は案内溝１９に沿って上昇して図６（ｂ）のＳ１だけ移動した最上位状態となり、さらに図６（ｃ）のＳ２（＞Ｓ１）だけ移動した最大移動状態となり、ドア３０を閉じた時の衝撃が緩和されるようになる。
【００２４】
しかして、縦芯材１ａの一部を切欠した木口切欠部３に緩衝機構本体５ａを組み込むにあたって、木口切欠部３を木口カバー材４で覆って外観を良くできると共に、木口カバー材４から立設した表面板補強片４ｂが表面板１ｃの内面部分１ｄに押し当てられると共に表面板補強片４ｂの高さを表面板１ｃの上端縁と略同じ高さに揃うようになるので、木口切欠部３と対向する表面板１ｃの内面部分１ｄを表面板補強片４ｂによって内側から確実に且つ外観良く補強できるようになる。そのうえ、緩衝機構本体５ａは、表面板１ｃで支えられるのではなく、木口カバー材４を介して一対の縦芯材１ａ、或いは縦芯材１ａと横框２との両方で支えられてビス固定されるため、フラッシュ構造のドア３０に対する緩衝機構本体５ａの取り付け強度を十分に確保できるものである。
【００２５】
また本例では、木口カバー材４のビス孔４ａを、縦芯材１ａの厚み方向Ａに沿って長く延びた長孔状に形成したので、ビス孔４ａ内でのビス４０の位置をドア仕様に応じて可変自在となる。つまり、後述のようにドア仕様により縦芯材１ａの厚み寸法が異っている場合には、ビス孔４ａ内でのビス４０の位置を変化させることで、１種類の木口カバー材４で対応できるようになる。
【００２６】
図９〜図１１はフラッシュ構造のドア３０の他の仕様例を示す。
【００２７】
図９は、縦框１と横框２とを枠組みし、その外周全周にＶカット加工した化粧材５０を巻き付けたドア３０を示し、図１０は、縦框１と横框２とを枠組みし、その表裏面に化粧材５１を貼り、側面を木口テープで化粧をしたドア３０を示している。これら図９及び図１０のドア３０では、いずれも、内側の縦芯材１ａの上端部の高さを低くすると共にその上に横框２の端部を乗載し、外側の縦芯材１ａの上端部及び横框２の端部をそれぞれ切欠して木口切欠部３を形成すると共に、横框２のＬ字形の切欠側面を取付基準面１１としている。
【００２８】
図１１は横框２がなく、左右の縦框１間に鏡板を取り付けた２方框ドア３０を示しており、ここでは、外側の縦芯材１ａの上端部から内側の縦芯材１ａの上端部の一部に亘って木口切欠部３を形成すると共に、内側の縦芯材１ａのＬ字形の切欠側面を取付基準面１１としている。
【００２９】
なお、図９〜図１１の各ドア３０の縦框１は、いずれも、前記図１、図２の実施形態と同様、中空部１ｂを挟んで立設された一対の縦芯材１ａと、各縦芯材１ａ及び中空部１ｂの両面を覆う表面板１ｃとで構成されている。
【００３０】
ここで、図２のように、ドア３０の木口から取付基準面１１までの距離ｆが１０９ｍｍの場合において、例えば、外側の縦芯材１ａの厚みｃが２６ｍｍ、中空部１ｂの厚みｄが５６ｍｍ、内側の縦芯材１ａの厚みｅが１９ｍｍの場合は、ビス孔４ａ内のビス４０の位置を、図２（ｂ）のように、外側のビス孔４ａの奥寄りの位置と、内側のビス孔４ａの入口寄りの位置とする。
【００３１】
また図９のように、ドア３０の木口から取付基準面１１までの距離ｊが１０９ｍｍの場合において、例えば、外側の縦芯材１ａの厚みｇが３０ｍｍ、中空部１ｂの厚みｈが５５ｍｍ、内側の縦芯材１ａの厚みｉが３０ｍｍの場合は、ビス孔４ａ内のビス４０の位置を、図９（ｂ）のように、外側のビス孔４ａの入口寄りの位置と、内側のビス孔４ａの奥寄りの位置とする。
【００３２】
また図１０のように、ドア３０の木口から取付基準面１１までの距離ｎが１０９ｍｍの場合において、例えば、外側の縦芯材１ａの厚みｋが２７．５ｍｍ、中空部１ｂの厚みｌが５５ｍｍ、内側の縦芯材１ａの厚みｍが３０ｍｍの場合は、ビス孔４ａ内のビス４０の位置を、図１０（ｂ）のように、外側のビス孔４ａの中央寄りの位置と、内側のビス孔４ａの中央寄りの位置とする。
【００３３】
また図１１のように、ドア３０の木口から取付基準面１１までの距離ｒが１０９ｍｍの場合において、例えば、外側の縦芯材１ａの厚みｏが３０ｍｍ、中空部１ｂの厚みｐが５６ｍｍ、内側の縦芯材１ａの厚みｑが３０ｍｍの場合は、ビス孔４ａ内のビス４０の位置を、図１１（ｂ）のように、外側のビス孔４ａの入り口寄りの位置と、内側のビス孔４ａの奥側寄りの位置とする。
【００３４】
上記のように、木口から取付基準面１１までの距離が同じであって、縦芯材１ａの厚みが異なっている場合は、長孔状のビス孔４ａ内でビス４０の位置を変えることで異なる仕様に対応できるようになる。従って、木口カバー材４の種類が増加することがなく、生産コストの低減等が図られる。
【００３５】
本発明の木口切欠部３が設けられる部位は、ドア３０の戸先側の端部に限らず、戸尻側の端部であってもよく、また、戸先側と戸尻側の両方であってもよい。
【図面の簡単な説明】
【００３６】
【図１】本発明の一実施形態のフラッシュ構造のドアに緩衝機構本体を組み込んだ状態を説明する斜視図である。
【図２】（ａ）は同上のドアの縦框の縦芯材に形成される木口切欠部に木口カバー材を固定した状態を説明する側面断面図、（ｂ）は（ａ）の木口カバー材のビス孔におけるビス位置を説明する平面図である。
【図３】（ａ）は同上の木口カバー材の平面図、（ｂ）は正面図、（ｃ）は側面断面図、（ｄ）は側面図である。
【図４】（ａ）は同上の緩衝機構本体の側面図、（ｂ）は平面図、（ｃ）は側面図である。
【図５】（ａ）は同上の緩衝機構受け具の側面図、（ｂ）は底面図である。
【図６】（ａ）（ｂ）（ｃ）は同上のドアの閉じ動作に伴うローラーの移動軌跡を説明する側面図である。
【図７】同上のドアが設置された戸枠の平面断面図である。
【図８】（ａ）は図７のＡ−Ａ線断面図であり、（ｂ）は同上の鴨居のレール溝に嵌め込まれるレール部材の説明図である。
【図９】（ａ）は他例の側面断面図、（ｂ）は（ａ）の木口カバー材のビス孔におけるビスの位置を説明する平面図である。
【図１０】（ａ）は更に他例の側面断面図、（ｂ）は（ａ）の木口カバー材のビス孔におけるビスの位置を説明する平面図である。
【図１１】（ａ）は更に他例の側面断面図、（ｂ）は（ａ）の木口カバー材のビス孔におけるビスの位置を説明する平面図である。
【符号の説明】
【００３７】
１  縦框
１ａ  縦芯材
１ｂ  中空部
１ｃ  表面板
１ｄ  内面部分
３  木口切欠部
４  木口カバー材
４ａ  ビス孔
４ｂ  表面板補強片
４ｃ  開口部
５ａ  緩衝機構本体
３０  ドア
Ａ  縦框の厚み方向
【図１】
2007085113.tif 000003
【図２】
2007085113.tif 000004
【図３】
2007085113.tif 000005
【図４】
2007085113.tif 000006
【図５】
2007085113.tif 000007
【図６】
2007085113.tif 000008
【図７】
2007085113.tif 000009
【図８】
2007085113.tif 000010
【図９】
2007085113.tif 000011
【図１０】
2007085113.tif 000012
【図１１】
2007085113.tif 000013